(57)【要約】【課題】箱の中に主内容物と共に、付属品等を中で吊るした状態で一緒に収納することができる包装用箱であって、簡単に組み立てることができ、かつ、コスト高にならない形状の包装用箱を提供することにある。【解決手段】本発明は、一枚のブランクを組み立てることにより形成され、側板、前板、側板、後板から成る角筒状の胴部と、下端開口を覆う底部と、上端開口を主に前板に連設した蓋板で覆う蓋部とからなり、箱の中において、対向する側板に連設した蓋折り込み片をそれぞれ略直角に内側に折り曲げ、折り込み片に連設した上保持片を内側に折り曲げ、上保持片に連設した下保持片を逆方向に折り曲げ、折り込み片と上保持片と上保持片を略Ｚ字形状とし、両方の上保持片と上保持片を折り曲げた部分に形成される保持孔に収納物の両端を差し込んで保持することを可能にしたことを特徴とする包装用箱である。【選択図】図１
2007308177.tif 000002
【特許請求の範囲】
【請求項１】
所定形状に打ち抜かれた一枚のブランクを組み立てることにより形成され、側板、前板、側板、後板から成る角筒状の胴部と、該胴部の下端開口を覆う底部と、前記胴部の上端開口を主に前記前板に連設した蓋板で覆う蓋部とからなり、箱の中において、対向する前記側板に連設した蓋折り込み片をそれぞれ略直角に内側に折り曲げ、前記折り込み片に連設した上保持片をさらに内側に折り曲げ、前記上保持片に連設した下保持片を逆方向に折り曲げ、前記折り込み片と前記上保持片と前記上保持片を略Ｚ字形状とし、両方の前記上保持片と前記上保持片を折り曲げた保持部に収納物の両端を差し込んで保持することを可能にしたことを特徴とする包装用箱。
【請求項２】
前記上保持片と前記下保持片を折り曲げる折れ線の略中央部にそれぞれ保持孔を設けたことを特徴とする請求項１に記載の包装用箱。
【請求項３】
前記保持孔が、前記折れ線の略中央部から前記上保持片側に切り込みを設け、前記上保持片と前記下保持片を折り曲げることにより形成されることを特徴とする請求項２に記載の包装用箱。
【発明の詳細な説明】
【技術分野】
【０００１】
本発明は、雑貨類、各種薬品、電気部品、電気製品等を包装した箱で、内容物の付属品等を中で吊り下げた状態で保持できる形状の包装用箱に関するものである。
【背景技術】
【０００２】
従来より、一つの箱の中に、主たる内容物と共に、付属品等を収納する形態の包装用箱がある。その形態として、付属品等を収納する空間を別に形成し、主内容物と共に一つの箱に中に収納した形状のものがある。例えば、図に示すように、箱の中の一部に付属品を収納する部分を別に設けた形態等が提案されている（例えば、特許文献１参照。）。
【特許文献１】実願昭５８−６７７２９号公報
【発明の開示】
【発明が解決しようとする課題】
【０００３】
しかしながら、従来の包装用箱の場合、箱の形状が複雑となり、組み立てるための手間が掛かるという問題がある。また、ブランクを大きく取る必要があり、コスト高となるという問題もある。
【０００４】
本発明は上述した問題点に鑑みてなされたものであって、その目的は、箱の中に主内容物と共に、付属品等を中で吊るした状態で一緒に収納することができる包装用箱であって、簡単に組み立てることができ、かつ、コスト高にならない形状の包装用箱を提供することにある。
【課題を解決するための手段】
【０００５】
上述した目的を達成するために、請求項１に記載の発明は、所定形状に打ち抜かれた一枚のブランクを組み立てることにより形成され、外観上、側板、前板、側板、後板から成る角筒状の胴部と、該胴部の下端開口を覆う底部と、前記胴部の上端開口を主に前記前板に連設した蓋板で覆う蓋部とからなり、箱の中において、対向する前記側板に連設した蓋折り込み片をそれぞれ略直角に内側に折り曲げ、前記折り込み片に連設した上保持片を内側に折り曲げ、前記上保持片に連設した下保持片を逆方向に折り曲げ、前記折り込み片と前記上保持片と前記上保持片を略Ｚ字形状とし、両方の前記上保持片と前記上保持片を折り曲げた部分に収納物の両端を差し込んで保持することを可能にしたことを特徴とする包装用箱である。
【０００６】
また、請求項２に記載の発明は、請求項１の包装用箱において、前記上保持片と前記下保持片を折り曲げる折れ線の略中央部にそれぞれ保持孔を設けたことを特徴とするものである。
【０００７】
また、請求項３に記載の発明は、請求項２の包装用箱において、前記保持孔が、前記折れ線の略中央部から前記上保持片側に切り込みを設け、前記上保持片と前記下保持片を折り曲げることにより形成されることを特徴とするものである。
【発明の効果】
【０００８】
上述した請求項１の発明によれば、胴部の側板に連設した蓋折り込み片を延長したブランクを組み立てるだけで、組み立てた箱の中に主内容物と共に、付属品等を中で吊るした状態で一緒に収納することができる包装用箱であって、一つの箱の中に主たる内容物と一緒に付属品等を収納することが可能である上に、簡単に組み立てることができ、かつ、コスト高にならないという効果を有している。
【０００９】
また、請求項２に記載の発明によれば、請求項１の発明の効果に加えて、上保持片と下保持片の折れ線の略中央部に保持孔を設けることによって、収納する付属品等を確実に吊り下げて保持することができるという効果を有している。
【発明を実施するための最良の形態】
【００１０】
以下、本発明の具体的な実施形態を図面を参照しながら説明する。図１は本発明の包装用箱の一実施形態の斜視図であり、図２は図１の包装用箱を形成するブランクの展開図であり、図３は図１の包装用箱の組立方法の説明図であり図４は従来の包装用箱の一例を示す斜視図であり、そして、図５は従来の包装用箱の別の例を示す斜視図である。
【００１１】
本発明の一実施形態である包装用箱Ａは、主たる内容物と共に付属品等のような別な内容物を、箱の上部に設けた保持部Ｓで保持することができる形態であり、図１に示すように、所定形状に打ち抜かれた一枚のブランク１０Ａにより形成され、外観的には、図１−ａに示すように、側板３ａ、前板３ｂ、側板３ｃ、後板３ｄからなる角筒状の胴部３と、胴部３の上端開口を蓋折り込み片４ａ、４ｃを内側に折り曲げ、胴部３の前板３ｂの上辺に折れ線を介して連設された蓋板４ｂで覆った蓋部４と、この胴部３の下端開口を覆う底部５とを有している。
【００１２】
また、箱内において、図１−ｂに示すように、主内容物１を収納した後に対向する側板３ａ、３ｃの上辺にそれぞれ連設された蓋折り込み片４ａ、４ｃを内側に折り曲げ、その蓋折り込み片４ａ、４ｃに連設した上保持片６ａ、６ｃをさらに内側に折り曲げ、そして、下保持片７ａ、７ｃを逆方向に折り曲げてＺ字形状としている。上保持片６ａと下保持片７ａを折り曲げた部分と、上保持片６ｃと下保持片７ｃを折り曲げた部分を保持部Ｓとし、この保持部Ｓに、付属品２の両端部を差し込み付属品２が包装用箱Ａの中で吊り下げられた状態で収納されている。
【００１３】
図２は、その本発明の包装用箱Ａのブランクの展開図である。ブランク１０Ａでは、側板３ａ、前板３ｂ、側板３ｃ、後板３ｄ、糊代片３ｅが折れ線ａ、ｂ、ｃ、ｄを介して連設され、糊代片３ｅを側板３ａの裏面に貼り合せて包装用箱Ａの胴部３が形成される。これら側板３ａ、前板３ｂ、側板３ｃの上辺には、それぞれ折れ線ｅ、ｆ、ｇを介して蓋折り込み片４ａ、蓋板４ｂ、蓋折り込み片４ｃが連設され、そして、蓋板４ｂの上辺には、折れ線ｈを介して蓋差し込み片４ｄが連設され、この蓋差し込み片４ｄを後板３ｄの内側に差し込んで蓋部４を形成する。一方、これら側板３ａ、前板３ｂ、側板３ｃ、後板３ｄの下辺には、それぞれ折れ線ｉ、ｊ、ｋ、ｌを介して底折り込み片５ａ、５ｂ、５ｃ、５ｄが連設され、これらを内側に折り込んで包装用箱Ａの形成の際に底部５を形成する。この底部５を形成する形状として、本例ではオートボトムとしているが、この底部５の形状は特に限定されるものではなく、このオートボトム以外に、差し込み片によるサック形式、ＤＯロック等のボトム形式、シールエンド形式等としてもよい。
【００１４】
そして、蓋折り込み片４ａ、４ｃの上辺には、それぞれ折れ線ｍ、ｎを介して上保持片６ａ、６ｃが連設され、さらに、上保持片６ａ、６ｃの上辺には、それぞれ折れ線ｏ、ｐを介して下保持片７ａ、７ｃが連設されている。
【００１５】
本発明の別の実施形態である包装用箱Ｂは、所定形状に打ち抜かれた一枚のブランク１０Ｂにより形成され、外観的には、包装用箱Ａと同様に、図１−ａに示すように、側板３ａ、前板３ｂ、側板３ｃ、後板３ｄからなる角筒状の胴部３と、胴部３の上端開口を蓋折り込み片４ａ、４ｃを内側に折り曲げ、胴部３の前板３ｂの上辺に折れ線を介して連設された蓋板４ｂで覆った蓋部４と、この胴部３の下端開口を覆う底部５とを有している。
【００１６】
また、箱内において、包装用箱Ａと同様に、主内容物１を収納した後に対向する側板３ａ、３ｃの上辺にそれぞれ連設された蓋折り込み片４ａ、４ｃを内側に折り曲げ、その蓋折り込み片４ａ、４ｃに連設した上保持片６ａ、６ｃをさらに内側に折り曲げ、そして、下保持片７ａ、７ｃを逆方向に折り曲げてＺ字形状としている。また、包装用箱Ａとは異なり、図３−ａに示すように、保持部Ｓにおいて、上保持片６ａと下保持片７ａを折り曲げた時に、上保持片６ａに保持孔８ａ形成され、上保持片６ｃと下保持片７ｃを折り曲げた時に、上保持片６ｃに保持孔８ｃ形成され、そして、図３−ｂに示すように、保持孔８ａと保持孔８ｃに、付属品２の両端部を差し込み付属品２が包装用箱Ａの中で吊り下げられた状態で収納されている。
【００１７】
図４は、その本発明の包装用箱Ｂのブランクの展開図である。ブランク１０Ｂでは、側板３ａ、前板３ｂ、側板３ｃ、後板３ｄ、糊代片３ｅが折れ線ａ、ｂ、ｃ、ｄを介して連設され、糊代片３ｅを側板３ａの裏面に貼り合せて包装用箱Ｂの胴部３が形成される。これら側板３ａ、前板３ｂ、側板３ｃの上辺には、それぞれ折れ線ｅ、ｆ、ｇを介して蓋折り込み片４ａ、蓋板４ｂ、蓋折り込み片４ｃが連設され、そして、蓋板４ｂの上辺には、折れ線ｈを介して蓋差し込み片４ｄが連設され、この蓋差し込み片４ｄを後板３ｄの内側に差し込んで蓋部４を形成する。一方、これら側板３ａ、前板３ｂ、側板３ｃ、後板３ｄの下辺には、それぞれ折れ線ｉ、ｊ、ｋ、ｌを介して底折り込み片５ａ、５ｂ、５ｃ、５ｄが連設され、これらを内側に折り込んで包装用箱Ｂの形成の際に底部５を形成する。この底部５を形成する形状として、本例ではオートボトムとしているが、この底部５の形状は特に限定されるものではなく、このオートボトム以外に、差し込み片によるサック形式、ＤＯロック等のボトム形式、シールエンド形式等としてもよい。
【００１８】
そして、蓋折り込み片４ａ、４ｃの上辺には、それぞれ折れ線ｍ、ｎを介して上保持片６ａ、６ｃが連設され、さらに、上保持片６ａ、６ｃの上辺には、それぞれ折れ線ｏ、ｐを介して下保持片７ａ、７ｃが連設され、その折れ線ｏ、ｐの略中央部には円弧状の切り込みｑ、ｒが上保持片６ａ、６ｃ側に設けられ、下保持片７ａ、７ｃを折れ線ｏ、ｐで折り曲げると上保持片６ａ、６ｃに円弧状の保持孔８ａ、８ｃが形成される。また、この切り込みｑ、ｒは、本例では上保持片６ａ、６ｂ側に設けているが、下保持片側７ａ、７ｃ側に設けてもよい。
【００１９】
この切り込みｑ、ｒの形状は、本例の円弧状以外に、三角形、台形、弓形等とすることができ、保持する付属品の形状に合わせて適宜設定することができる。
【００２０】
また、本例では、保持孔８ａ、８ｃは、上保持片６ａ、６ｃと下保持片７ａ、７ｃを折れ線ｏ、ｒで折り曲げると上保持片６ａ、６ｃに形成されるが、折れ線ｏ、ｒの中央部に円弧状等の所定の形状で設けることもできる。その場合、折れ線ｏ、ｒから上保持片６ａ、６ｃ側、折れ線ｏ、ｒから下保持片７ａ、７ｃ側、あるいは、折れ線ｏ、ｒから両側に設けることができる。
【００２１】
この包装用箱を形成するブランク１０Ａおよびブランク１０Ｂの材料としては、白板紙、マニラボール等の適度の剛性を有する板紙、あるいは、ポリプロピレン、ポリエチレンテレフタレート、ポリ塩化ビニル等のプラスチックシートを使用することができる。特に、透明なプラスチックシートを使用することによって、収納した内容物および付属品等を外から見ることができ、意匠性が高く、販促効果の良好な形状とすることができる。
【００２２】
つぎに、上記のブランク１０Ａあるいはブランク１０Ｂから本発明の包装用箱Ａあるいは包装用箱Ｂを形成する方法を説明する。
【００２３】
まず、図５−ａに示すように、側板３ａ、前板３ｂ、側板３ｃ、後板３ｄ、および糊代片３ｅをこれらの間の折れ線ａ、ｂ、ｃ、ｄで内側に折り曲げ、糊代片３ｅを側板３ａの内面に貼り合わせて、図５−ｂに示すように、角筒状に胴部３を形成する。
【００２４】
つぎに、底部５を形成するために、図５−ｃに示すように、底折り込み片５ａ、５ｃを内側に折り曲げ、さらに、底差し込み片５ｂ、５ｄを折り曲げる。この時、底折り込み片５ａと、底折り込み片５ｂを貼り合わせ、底折り込み片５ｃと、底折り込み片５ｄを貼り合わせることによって底部５を形成することができる。
【００２５】
つぎに、図５−ｄに示すように、上端が開口した包装用箱Ａあるいは包装用箱Ｂ内部に主内容物１を挿入した後、蓋折り込み片４ａ、４ｃを直角に内側に折り曲げる。同時に、上保持片６ａを内側に、下保持片７ａを外側にＺ字状に折り曲げる。この時、包装用箱Ｂの場合、上保持片６ａと下保持片７ａを折り曲げた時に保持孔８ａが形成される。同様に、上保持片６ｃを内側に、下保持片７ｃを外側にＺ字状に折り曲げて、上保持片６ｃと下保持片７ｃを折り曲げた時に保持孔８ｃが形成される。包装用箱Ａの場合、上保持片６ａと下保持片７ａを折り曲げた部分と、上保持片６ｃと下保持片７ｃを折り曲げた部分に、付属品２の両端部を差し込むことにより、付属品２を包装用箱Ａの中で吊り下げられた状態で収納することができる。包装用箱Ｂの場合、この対向する両保持孔８ａ、８ｃに収納する付属品２の両端を差し込むことにより、付属品２を包装用箱Ａの中で吊り下げた状態で収納することができる。
【００２６】
最後に、蓋差し込み片４ｄを折り曲げた後、蓋板４ｂを内側に直角に折り曲げて、図５−ｅに示すように、蓋差し込み片４ｄを後板３ｄの裏側に差し込んで蓋部４を形成する。
【００２７】
このようにして製造した本発明の包装用箱Ａあるいは包装用箱Ｂでは、図１または図３に示すように、箱の中に従来の包装用箱と同様に主内容物１を収納し、さらに付属品２を吊り下げた状態で保持し、一つの箱の中に一緒に収納することができる形態とすることができる。
【００２８】
実際に、本発明の包装用箱Ａあるいは包装用箱Ｂを購入した消費者が使用する場合、蓋部４を開封し、まず、付属品２を保持されている保持部Ｓから取り外して取り出し、その後に、主内容物１を取り出すことができる。
【００２９】
なお、本発明で収納できる付属品２は、この保持部Ｓに保持できればよく、特に、形状等は限定されず、また、保持する物は、付属品ではなく主たる内容物であってもよい。
【実施例】
【００３０】
以下、本発明の包装用箱について、一実施例をあげて説明する。本発明の包装用箱はこの実施例に限定されるものでないことはいうまでもない。
【００３１】
実施例として、図３に示すように、主内容物として容器に入った芳香剤と付属品としてプレミアム商品を収納する包装用箱を作製した。まず、材料として、厚さ０．２ｍｍの透明なポリエチレンテレフタレートのシートを使用して、公知の印刷方法により、表面に内容物に関する絵柄、表示等を印刷した。ついで、公知の打ち抜き方法により、図４に示すようなブランク１０Ｂを作製した。
【００３２】
つぎに、上記のブランク１０Ｂを用いて、まず、側板３ａ、前板３ｂ、側板３ｃ、後板３ｄ、および糊代片３ｅをこれらの間の折れ線ａ、ｂ、ｃ、ｄで内側に折り曲げ、糊代片３ｅを側板３ａの内面に貼り合わせて、角筒状に胴部３を形成した。
【００３３】
つぎに、底部５を形成するために、底折り込み片５ａ、５ｃを内側に折り曲げ、さらに、底差し込み片５ｂ、５ｄを折り曲げる。この時、底折り込み片５ａと、底折り込み片５ｂを貼り合わせ、底折り込み片５ｃと、底折り込み片５ｄを貼り合わせることによって底部５を形成した。
【００３４】
つぎに、上端が開口した包装用箱Ｂ内部に主内容物１を挿入した後、蓋折り込み片４ａ、４ｃを直角に内側に折り曲げた。同時に、上保持片６ａを内側に、下保持片７ａを外側にＺ字状に折り曲げた。この時、上保持片６ａと下保持片７ａを折り曲げた時に保持孔８ａが形成された。同様に、上保持片６ｃを内側に、下保持片７ｃを外側にＺ字状に折り曲げて、上保持片６ｃと下保持片７ｃを折り曲げた時に保持孔８ｃが形成された。この対向する両保持孔８ａ、８ｃに収納する付属品２の両端を差し込むことにより、付属品２を包装用箱Ｂの中で吊り下げた状態で収納することができた。
【００３５】
最後に、蓋差し込み片４ｄを折り曲げた後、蓋板４ｂを内側に直角に折り曲げて、蓋差し込み片４ｄを後板３ｄの裏側に差し込んで蓋部４を形成した。
【００３６】
このようにして製造した本発明の包装用箱Ｂでは、箱の中に従来の包装用箱と同様に主内容物１を収納し、さらに付属品２を吊り下げた状態で保持し、一つの箱の中に一緒に収納することができた。また、透明なプラスチックシートを使用したことにより、外から主内容物および付属品であるプレミアムを見ることができ、販促効果が良好であった。
【００３７】
実際に、本発明の包装用箱Ｂを使用する場合、蓋部４を開封し、まず、付属品２を保持されている保持部Ｓから取り外して取り出し、その後に、主内容物１を取り出すことができた。
【産業上の利用可能性】
【００３８】
本発明の包装用箱は、雑貨品、薬品、電気部品、電気製品等の内容物を収納し、中に、付属品等を吊り下げて収納する包装用箱として適用することができる。特に、付属品として、プレミアム、取り扱い説明書、付属部品等を主内容物と一緒に収納する商品の包装用箱に好適に使用することができる。
【図面の簡単な説明】
【００３９】
【図１】本発明の包装用箱の一実施形態の斜視図および断面図である。
【図２】図１の包装用箱を形成するブランクの展開図である。
【図３】本発明の包装用箱の別の実施形態の斜視図である。
【図４】図３の包装用箱を形成するブランクの展開図である。
【図５】図１の包装用箱の組立方法の説明図である。
【図６】従来の包装用箱の一例を示す斜視図である。
【符号の説明】
【００４０】
Ａ    包装用箱（本発明の一実施形態）
Ｂ    包装用箱（本発明の別の実施形態）
Ｐ    従来の包装用箱
Ｓ    保持部
１    主内容物
２    付属品
３    胴部
３ａ  前板
３ｂ  側板
３ｃ  後板
３ｄ  側板
３ｅ  糊代片
４    蓋部
４ａ  蓋折り込み片
４ｂ  蓋板
４ｂ  蓋折り込み片
４ｃ  蓋差し込み片
５    底部
５ａ  底折り込み片
５ｂ  底折り込み片
５ｃ  底折り込み片
５ｄ  底折り込み片
６ａ  蓋上保持片
６ｂ  蓋上保持片
７ａ  蓋下保持片
７ｂ  蓋下保持片
８ａ  保持孔
８ｂ  保持孔
１０Ａ  ブランク（包装用箱Ａの）
１０Ｂ  ブランク（包装用箱Ｂの）
ａ〜ｐ  折れ線
ｑ、ｒ  切り込み
【図１】
2007308177.tif 000003
【図２】
2007308177.tif 000004
【図３】
2007308177.tif 000005
【図４】
2007308177.tif 000006
【図５】
2007308177.tif 000007
【図６】
2007308177.tif 000008